(57)【要約】【課題】蒸発器と膨張装置間の距離を短くして運転効率を向上させることのできる空気調和機及びその冷媒制御方法を提供する。【解決手段】空気調和機は、圧縮機、室外熱交換器、及び冷媒流路を切り替える四方弁を備えた室外機と、室内熱交換器を備えた室内機と、室内熱交換器の冷房運転時の冷媒流入側に配置されて冷媒が膨張する室内膨張部と、室外熱交換器の暖房運転時の冷媒流入側に配置されて冷媒が膨張する室外膨張部と、冷房運転時に室内膨張部で冷媒が膨張し、暖房運転時に室外膨張部で冷媒が膨張するように、室内膨張部及び室外膨張部を制御する制御部とを含む。【選択図】図１
2007183091.tif 000002
【特許請求の範囲】
【請求項１】
圧縮機、室外熱交換器、及び冷媒流路を切り替える四方弁を備えた室外機と、
室内熱交換器を備えた室内機と、
前記室内熱交換器の冷房運転時の冷媒流入側に配置されて冷媒が膨張する室内膨張部と、
前記室外熱交換器の暖房運転時の冷媒流入側に配置されて冷媒が膨張する室外膨張部と、
冷房運転時に前記室内膨張部で冷媒が膨張し、暖房運転時に前記室外膨張部で冷媒が膨張するように、前記室内膨張部及び前記室外膨張部を制御する制御部と、
を含むことを特徴とする空気調和機。
【請求項２】
前記室内膨張部は、
前記室内熱交換器に並列に連結される第１分岐流路及び第２分岐流路と、
前記第１分岐流路又は前記第２分岐流路のいずれか一方に設置される室内側毛細管と、
前記第１分岐流路又は前記第２分岐流路の他方に設置される第１開閉弁とを含み、
前記制御部は、冷房運転時に前記第１開閉弁が遮断されるように制御し、暖房運転時に前記第１開閉弁が開放されるように制御することを特徴とする請求項１に記載の空気調和機。
【請求項３】
前記圧縮機がインバータ圧縮機を含み、前記第１開閉弁が室内側電子膨張弁から構成され、前記制御部が、冷房運転時に前記室内側電子膨張弁の開度を前記室内機の負荷量によって制御し、暖房運転時に前記室内側電子膨張弁が全開になるように制御することを特徴とする請求項２に記載の空気調和機。
【請求項４】
前記室外膨張部は、
前記室外熱交換器に並列に連結される第３分岐流路及び第４分岐流路と、
前記第３分岐流路又は前記第４分岐流路のいずれか一方に設置される室外側毛細管と、
前記第３分岐流路又は前記第４分岐流路の他方に設置される第２開閉弁とを含み、
前記制御部は、冷房運転時に前記第２開閉弁が遮断されるように制御し、暖房運転時に前記第２開閉弁が開放されるように制御することを特徴とする請求項２に記載の空気調和機。
【請求項５】
前記圧縮機がインバータ圧縮機を含み、前記第２開閉弁が室内側電子膨張弁から構成され、前記制御部が、冷房運転時に前記室内側電子膨張弁が全開になるように制御し、暖房運転時に前記室内側電子膨張弁の開度を前記室内機の負荷量によって制御することを特徴とする請求項４に記載の空気調和機。
【請求項６】
圧縮機及び室外熱交換器を備えた室外機と、
室内熱交換器、前記室内熱交換器の冷房運転時の冷媒流入側に並列に形成される第１分岐流路及び第２分岐流路、前記第１分岐流路又は前記第２分岐流路のいずれか一方に設置される室内側毛細管、並びに前記第１分岐流路又は前記第２分岐流路の他方に設置されて該当分岐流路を開閉する第１開閉弁を備えた室内機と、
を含むことを特徴とする空気調和機。
【請求項７】
前記圧縮機がインバータ圧縮機を含み、前記第１開閉弁が室内側電子膨張弁から構成されることを特徴とする請求項６に記載の空気調和機。
【請求項８】
前記圧縮機の吐出側に配置されて冷媒流路を切り替える四方弁と、
前記室外熱交換器の暖房運転時の冷媒流入側に並列に形成される第３分岐流路及び第４分岐流路と、
前記第３分岐流路又は前記第４分岐流路のいずれか一方に設置される室外側毛細管と、
前記第３分岐流路又は前記第４分岐流路の他方に設置されて該当分岐流路を開閉する室外側電子膨張弁と、
をさらに含むことを特徴とする請求項７に記載の空気調和機。
【請求項９】
運転モードによって冷媒流路が切り替えられるように前記四方弁を制御し、前記室内熱交換器の冷房運転時の冷媒流入側で冷媒が膨張するように前記室内側電子膨張弁を制御すると共に前記室外側電子膨張弁が全開になるように制御し、前記室外熱交換器の暖房運転時の冷媒流入側で冷媒が膨張するように前記室外側電子膨張弁を制御すると共に前記室内側電子膨張弁が全開になるように制御する制御部をさらに含むことを特徴とする請求項８に記載の空気調和機。
【請求項１０】
冷房運転時に前記室内機の負荷量によって前記室内側電子膨張弁を制御する制御部をさらに含むことを特徴とする請求項７に記載の空気調和機。
【請求項１１】
冷房運転時に前記第１開閉弁が遮断されるように制御する制御部をさらに含むことを特徴とする請求項６に記載の空気調和機。
【請求項１２】
圧縮機、室外熱交換器、及び冷媒流路を切り替える四方弁を備えた室外機と、室内熱交換器を備えた室内機と、前記室内熱交換器の冷房運転時の冷媒流入側に配置されて冷媒が膨張する室内膨張部と、前記室外熱交換器の暖房運転時の冷媒流入側に配置されて冷媒が膨張する室外膨張部とを備えた空気調和機の冷媒制御方法において、
選択された運転モードによって冷媒流路を切り替える段階と、
冷房運転時に前記室内膨張部で冷媒が膨張し、暖房運転時に前記室外膨張部で冷媒が膨張するように、前記室内膨張部及び前記室外膨張部を制御する段階と、
を含むことを特徴とする空気調和機の冷媒制御方法。
【請求項１３】
前記室内膨張部は、
前記室内熱交換器の冷媒流入側に並列に連結される第１分岐流路及び第２分岐流路と、
前記第１分岐流路に設置される室内側毛細管と、
前記第２分岐流路に設置される室内側電子膨張弁とを備え、
前記室外膨張部は、
前記室外熱交換器の冷媒流入側に並列に連結される第３分岐流路及び第４分岐流路と、
前記第３分岐流路に設置される室外側毛細管と、
前記第４分岐流路に設置される室外側電子膨張弁とを備え、
前記室内膨張部及び前記室外膨張部を制御する段階では、
冷房運転時、前記室外側電子膨張弁が全開になり、前記室内側電子膨張弁の開度が前記室内機の負荷量によって制御され、暖房運転時、前記室内側電子膨張弁が全開になり、前記室外側電子膨張弁の開度が前記室内機の負荷量によって制御されることを特徴とする請求項１２に記載の空気調和機の冷媒制御方法。
【発明の詳細な説明】
【技術分野】
【０００１】
本発明は空気調和機及びその冷媒制御方法に関し、より詳しくは、蒸発器と膨張装置間の距離を短くして運転効率を向上させることのできる空気調和機及びその冷媒制御方法に関する。
【背景技術】
【０００２】
図１０は従来の空気調和機の冷凍サイクル構成図である。図１０に示すように、従来の空気調和機は、冷媒を圧縮する圧縮機１１と、圧縮機１１の一側に連結されて冷媒と室外空気の熱交換が行われる室外熱交換器２１と、冷媒と室内空気の熱交換が行われるように配置される室内熱交換器３１とを備えている。
【０００３】
圧縮機１１は複数で構成され、圧縮機１１の吸入側には、各圧縮機１１に気体状態の冷媒を提供するためのアキュムレータ１２が設置されている。圧縮機１１の吐出側には、運転モード（冷房運転又は暖房運転）によって冷媒流路を切り替えることのできるように四方弁１４が備えられている。
【０００４】
暖房運転時の冷媒流動方向に沿って室外熱交換器２１の冷媒流入側には、冷媒が減圧膨張するように膨張装置２２が設置されている。
【発明の開示】
【発明が解決しようとする課題】
【０００５】
しかし、このような従来の空気調和機においては、室外熱交換器２１側に膨張装置２２が配置されており、膨張装置２２と室内熱交換器３１間の距離が遠い場合、冷房運転時のシステム効率が低下するという問題があった。
【０００６】
また、膨張装置２２が電子膨張弁（Electronic Expansion Valve；ＥＥＶ）から構成された場合、使用期間が経過すると、開度調節を繰り返すことによって機械的摩耗又はスプリングの弾性係数（ｋ）が変化して、実際にシステムが認知している開度でない他の開度で運転される、いわゆる電子膨張弁のスリップ現象が発生する。これにより、電子膨張弁の寿命が短縮され、システムダウンが発生するなど、システム効率が低下するという問題があった。
【０００７】
本発明は、このような従来技術の問題を解決するためになされたもので、蒸発器と膨張装置間の距離を短くして運転効率を向上させることのできる空気調和機及びその冷媒制御方法を提供することを目的とする。
【０００８】
本発明の他の目的は、電子膨張弁の使用頻度を減少させて電子膨張弁の寿命を延長させることのできる空気調和機及びその冷媒制御方法を提供することにある。
【課題を解決するための手段】
【０００９】
上記の目的を達成するために、本発明による空気調和機は、圧縮機、室外熱交換器、及び冷媒流路を切り替える四方弁を備えた室外機と、室内熱交換器を備えた室内機と、前記室内熱交換器の冷房運転時の冷媒流入側に配置されて冷媒が膨張する室内膨張部と、前記室外熱交換器の暖房運転時の冷媒流入側に配置されて冷媒が膨張する室外膨張部と、冷房運転時に前記室内膨張部で冷媒が膨張し、暖房運転時に前記室外膨張部で冷媒が膨張するように、前記室内膨張部及び前記室外膨張部を制御する制御部とを含む。
【００１０】
また、本発明の他の実施形態において、本発明による空気調和機は、圧縮機及び室外熱交換器を備えた室外機と、室内熱交換器、前記室内熱交換器の冷房運転時の冷媒流入側に並列に形成される第１分岐流路及び第２分岐流路、前記第１分岐流路又は前記第２分岐流路のいずれか一方に設置される室内側毛細管、並びに前記第１分岐流路又は前記第２分岐流路の他方に設置されて該当分岐流路を開閉する第１開閉弁を備えた室内機とを含む。
【００１１】
また、本発明のさらに他の実施形態において、本発明による空気調和機の冷媒制御方法は、圧縮機、室外熱交換器、及び冷媒流路を切り替える四方弁を備えた室外機と、室内熱交換器を備えた室内機と、前記室内熱交換器の冷房運転時の冷媒流入側に配置されて冷媒が膨張する室内膨張部と、前記室外熱交換器の暖房運転時の冷媒流入側に配置されて冷媒が膨張する室外膨張部とを備えた空気調和機の冷媒制御方法において、選択された運転モードによって冷媒流路を切り替える段階と、冷房運転時に前記室内膨張部で冷媒が膨張し、暖房運転時に前記室外膨張部で冷媒が膨張するように、前記室内膨張部及び前記室外膨張部を制御する段階とを含む。
【発明の効果】
【００１２】
本発明による空気調和機は、室内熱交換器の冷房運転時の冷媒流入側に第１及び第２分岐流路を形成し、各分岐流路に室内側毛細管及び第１開閉弁を設置して、冷媒の膨張を蒸発器である室内熱交換器への流入直前に行うことにより、システム効率を向上させることができる。
【００１３】
また、前記第１開閉弁を室内側電子膨張弁で構成して、冷房運転時、室内機の負荷量によって室内側毛細管及び／又は室内側電子膨張弁で冷媒の減圧膨張を行うことにより、冷媒の膨張が蒸発器である室内熱交換器への流入直前に行われて、システム効率を向上させることができるだけでなく、室内側電子膨張弁の使用が抑制されて室内側電子膨張弁の寿命を延長させることができる。
【００１４】
また、本発明による空気調和機は、運転モード（冷房運転又は暖房運転）によって圧縮された冷媒の流路を切り替える四方弁と、室内熱交換器の冷房運転時の冷媒流入側に分岐流路を形成し、分岐流路に室内側毛細管及び室内側電子膨張弁をそれぞれ設置し、室外熱交換器の暖房運転時の冷媒流入側に分岐流路を形成し、分岐流路のいずれか１つに室外側毛細管を設置して他の１つに室外側電子膨張弁を設置して、冷房運転及び暖房運転時の両方で蒸発器として作用する熱交換器への流入直前に冷媒の膨張を行うことにより、冷房運転及び暖房運転時の両方で膨張装置と蒸発器間の距離を短くしてシステム効率を向上させることができ、電子膨張弁の使用を抑制して電子膨張弁の寿命を延長させることができる。
【００１５】
また、本発明による空気調和機の冷媒制御方法は、冷房運転又は暖房運転時、冷媒が蒸発する蒸発器への流入直前に冷媒の膨張を行うことにより、空気調和機の運転効率を向上させることができる。
【発明を実施するための最良の形態】
【００１６】
以下、本発明による空気調和機及びその冷媒制御方法の好ましい実施形態について添付図面を参照して詳細に説明する。
【００１７】
図１に示すように、本発明の第１実施形態による空気調和機は、冷媒を圧縮する圧縮機１１１、及び冷媒と室外空気の熱交換が行われるように配置される室外熱交換器１２１を備えた室外機１１０と、冷媒と室内空気の熱交換が行われるように配置される室内熱交換器１５１を備えた室内機１５０と、室内熱交換器１５１の冷房運転時の冷媒流入側に配置されて冷媒が膨張する室内膨張部１６０とを含む。
【００１８】
圧縮機１１１の吸入側には、気体状態の冷媒を吸入できるようにアキュムレータ１１４が連結されており、圧縮機１１１の吐出側には、室外熱交換器１２１が連結されている。
【００１９】
室内膨張部１６０は、冷媒が室内熱交換器１５１の冷媒流入側に分岐して流動できるように並列に連結される第１分岐流路１６２及び第２分岐流路１７２と、第１分岐流路１６２に設置される室内側毛細管１６４と、第２分岐流路１７２に設置される室内側電子膨張弁１７５とを含む。ここで、室内側毛細管１６４は、各室内熱交換器１５１の負荷量の一部に対応するように形成され、室内側電子膨張弁１７５は、室内熱交換器１５１の負荷量が増加した場合、それに応じて開度を調節できるように形成される。
【００２０】
図２に示すように、制御部１８１は、各室内機１５０の負荷量によって冷媒の膨張を制御できるように制御プログラムが備えられたマイクロプロセッサの形態で実現され、制御部１８１には、各室内側電子膨張弁１７５が電気信号を伝送できるようにそれぞれ連結されている。
【００２１】
このような構成により、室内機１５０の運転を開始すると、制御部１８１は、各室内機１５０の負荷量によって各室内側電子膨張弁１７５を制御する。すなわち、室内機１５０の負荷量が設定値未満の場合は、室内側毛細管１６４のみによって冷媒の膨張が行われるように、室内側電子膨張弁１７５を制御して第２分岐流路１７２を遮断し、室内機１５０の負荷量が設定値以上の場合は、負荷量の増加に応じて室内側電子膨張弁１７５の開度を制御する。
【００２２】
図３は本発明の第２実施形態による空気調和機の冷凍サイクル構成図であり、図４は図３の空気調和機の制御ブロック図であり、図５は図３の空気調和機の冷媒制御方法を説明するためのフローチャートである。説明の便宜上、前述及び図示した構成と同一又は相当部分には同一符号を付して説明する。
【００２３】
図３に示すように、本発明の第２実施形態による空気調和機は、冷媒を圧縮する圧縮機１１１、冷媒と室外空気の熱交換が行われるように配置される室外熱交換器１２１、及び運転モードによって冷媒流路を切り替える四方弁１１５を備えた室外機１１０と、冷媒と室内空気の熱交換が行われるように配置される室内熱交換器１５１を備えた室内機１５０と、室内熱交換器１５１の冷房運転時の冷媒流入側に配置されて冷媒が膨張する室内膨張部１６０と、室外熱交換器１２１の暖房運転時の冷媒流入側に配置されて冷媒が膨張する室外膨張部１３０とを含む。
【００２４】
圧縮機１１１の吸入側には、気体状態の冷媒を吸入できるようにアキュムレータ１１４が連結されており、圧縮機１１１の吐出側には、冷媒流路を切り替える四方弁１１５が連結されている。
【００２５】
四方弁１１５には、運転モードによって冷媒が適切に流動できるように、室外熱交換器１２１、アキュムレータ１１４、及び室内機１５０がそれぞれ連結されている。
【００２６】
室内膨張部１６０は、室内熱交換器１５１の冷媒流入側に分岐して並列に形成される第１分岐流路１６２及び第２分岐流路１７２と、第１分岐流路１６２に設置される室内側毛細管１６４と、第２分岐流路１７２に設置される第１開閉弁１７４とを含む。
【００２７】
室外膨張部１３０は、室外熱交換器１２１の冷媒流入側に分岐して並列に形成される第３分岐流路１３２及び第４分岐流路１４２と、第３分岐流路１３２に設置される室外側毛細管１３４と、第４分岐流路１４２に設置される第２開閉弁１４４とを含む。
【００２８】
図４に示すように、制御部１８１は、室内機１５０の運転モードによって冷媒流路を切り替え、冷媒が蒸発する蒸発器の流入側で冷媒の膨張を行うために、四方弁１１５、第１開閉弁１７４、及び第２開閉弁１４４を制御できるように制御プログラムが備えられたマイクロプロセッサの形態で実現される。制御部１８１には、室内機１５０の運転モードを選択する運転モード選択部１８３、四方弁１１５、第１開閉弁１７４、及び第２開閉弁１４４が電気信号を伝送できるようにそれぞれ連結されている。
【００２９】
以下、本発明の第２実施形態による空気調和機の冷媒制御方法について図５を参照して説明する。
【００３０】
運転モード選択部１８３により室内機１５０の運転モードが選択されると（Ｓ１０）、制御部１８１は、その選択された運転モードを判別し（Ｓ２０）、その運転モードによって四方弁１１５を制御して冷媒流路を切り替える（Ｓ３０、Ｓ５０）。すなわち、制御部１８１は、四方弁１１５を制御して、室内機１５０が冷房運転される場合、圧縮機１１１から吐出された冷媒が室外熱交換器１２１に流動するように冷媒流路を切り替え（Ｓ３０）、室内機１５０が暖房運転される場合、圧縮機１１１から吐出された冷媒が室内熱交換器１５１に流動するように冷媒流路を切り替える（Ｓ５０）。
【００３１】
室内機１５０が冷房運転される場合、制御部１８１は、室外熱交換器１２１を通過した冷媒を第４分岐流路１４２に流動させるために、第２開閉弁１４４が開放されるように制御すると共に、室内側毛細管１６４で冷媒の膨張を行うために、第１開閉弁１７４が遮断されるように制御する（Ｓ４０）。
【００３２】
室内機１５０が暖房運転される場合、制御部１８１は、室内熱交換器１５１を通過した冷媒を第２分岐流路１７２に流動させるために、第１開閉弁１７４が開放されるように制御すると共に、室外側毛細管１３４で冷媒の膨張を行うために、第２開閉弁１４４が遮断されるように制御する（Ｓ６０）。
【００３３】
一方、制御部１８１は、室内機１５０から運転終了信号が入力されると（Ｓ７０）、室内機１５０及び室外機１１０の駆動を中止する（Ｓ８０）。
【００３４】
図６は本発明の第３実施形態による空気調和機の冷凍サイクル構成図であり、図７は図６の空気調和機の暖房運転時の作用を説明するための図であり、図８は図６の空気調和機の制御ブロック図であり、図９は図６の空気調和機の冷媒制御方法を説明するためのフローチャートである。
【００３５】
図６〜図８に示すように、本発明の第３実施形態による空気調和機は、冷媒を圧縮する圧縮機１１１、冷媒と室外空気の熱交換が行われるように配置される室外熱交換器１２１、及び圧縮機１１１の吐出側に連結されて冷媒流路を切り替える四方弁１１５を備えた室外機１１０と、冷媒と室内空気の熱交換が行われるように配置される室内熱交換器１５１を備えた室内機１５０と、室内熱交換器１５１の冷房運転時の冷媒流入側に配置されて冷媒が膨張する室内膨張部１６０と、室外熱交換器１２１の暖房運転時の冷媒流入側に配置されて冷媒が膨張する室外膨張部１３０と、冷房運転時に室内膨張部１６０で冷媒が膨張し、暖房運転時に室外膨張部１３０で冷媒が膨張するように、室内膨張部１６０及び室外膨張部１３０を制御する制御部１８１とを含む。
【００３６】
圧縮機１１１の吸入側には、気体状態の冷媒を吸入できるようにアキュムレータ１１４が設置されており、圧縮機１１１の吐出側には、運転モードによって冷媒が適切に流動できるように冷媒流路を切り替える四方弁１１５が連結されている。
【００３７】
さらに、四方弁１１５には、運転モードによって冷媒が適切に流動できるように、室外熱交換器１２１、室内熱交換器１５１、及びアキュムレータ１１４がそれぞれ連結されている。
【００３８】
圧縮機１１１は、一定の速度で回転する定速型圧縮機１１２ａと、回転速度を変えて冷媒の圧縮容量を変化させることのできるインバータ圧縮機１１２ｂとから構成される。
【００３９】
室内膨張部１６０は、冷媒が室内熱交換器１５１の冷媒流入側に分岐して流動できるように並列に連結される第１分岐流路１６２及び第２分岐流路１７２と、第１分岐流路１６２に設置される室内側毛細管１６４と、第２分岐流路１７２に設置される室内側電子膨張弁１７５とを含む。
【００４０】
室外膨張部１３０は、冷媒が室外熱交換器１２１の冷媒流入側に分岐して流動できるように並列に連結される第３分岐流路１３２及び第４分岐流路１４２と、第３分岐流路１３２に設置される室外側毛細管１３４と、第４分岐流路１４２に設置される室外側電子膨張弁１４５とを含む。
【００４１】
図８に示すように、制御部１８１は、室内機１５０の運転モードによって冷媒の流動方向を制御すると共に、蒸発器への流入直前に冷媒の膨張が行われるように制御できるように制御プログラムが備えられたマイクロプロセッサの形態で実現される。制御部１８１には、室内機１５０の運転モードを選択する運転モード選択部１８３、四方弁１１５、室内側電子膨張弁１７５、及び室外側電子膨張弁１４５が電気信号を伝送できるようにそれぞれ連結されている。
【００４２】
以下、本発明の第３実施形態による空気調和機の冷媒制御方法について図９を参照して説明する。
【００４３】
運転モード選択部１８３により室内機１５０の運転モードが選択されると（Ｓ１０）、制御部１８１は、その選択された運転モードを判別し（Ｓ２０）、その運転モードによって圧縮機１１１で圧縮された冷媒が適切に流動するように四方弁１１５を制御して冷媒流路を切り替える（Ｓ３０、Ｓ５０）。
【００４４】
すなわち、室内機１５０が冷房運転される場合、制御部１８１は、室外熱交換器１２１を通過した冷媒が円滑に流動できるように、室外側電子膨張弁１４５を全開すると共に、室内側電子膨張弁１７５は室内機１５０の負荷量によって適切な開度値を有するように制御する（Ｓ４５）。これにより、圧縮機１１１で圧縮された冷媒は、図６に示すように、四方弁１１５を経由して室外熱交換器１２１に流動し、室外熱交換器１２１を経由した冷媒は、第２分岐流路１７２を介して室内機１５０に流動する。各室内機１５０に流動した冷媒は、各室内機１５０の負荷量によって室内側電子膨張弁１７５が遮断された場合は、全て第１分岐流路１６２の室内側毛細管１６４を通過して減圧膨張し、室内機１５０の負荷量によって室内側電子膨張弁１７５が開放された場合は、室内側毛細管１６４及び室内側電子膨張弁１７５を通過してそれぞれ減圧膨張する。各室内機１５０で熱交換された冷媒は、四方弁１１５を経由してアキュムレータ１１４の内部に流入する。アキュムレータ１１４内部の気体状態の冷媒は、圧縮機１１１に吸入されて圧縮及び吐出される過程を繰り返す。
【００４５】
また、室内機１５０が暖房運転される場合、制御部１８１は、室内熱交換器１５１を通過した冷媒が円滑に流動できるように、室内側電子膨張弁１７５を全開すると共に、室外側電子膨張弁１４５は室内機１５０の負荷量によって適切な開度値を有するように制御する（Ｓ６５）。ここで、圧縮機１１１のうち定速型圧縮機１１２ａのみ駆動される場合は、室外側毛細管１３４のみを利用して冷媒の膨張を行うように構成することもできる。すなわち、定速型圧縮機１１２ａのみ駆動される場合は、室外側電子膨張弁１４５により第４分岐流路１４２を遮断し、インバータ圧縮機１１２ｂがさらに駆動される場合は、室外側電子膨張弁１４５によっても冷媒の膨張が行われるようにして、室外側毛細管１３４及び室外側電子膨張弁１４５により同時に冷媒が膨張するように構成することができる。
【００４６】
次に、圧縮機１１１で圧縮された冷媒は、図７に示すように、四方弁１１５を経由して各室内機１５０に流動する。各室内機１５０に流動した冷媒は、室内熱交換器１５１で熱交換されて暖房機能を実行し、第２分岐流路１７２を介して室外機１１０に流動する。室外機１１０に流動した冷媒は、各室内機１５０の負荷量によって室外側電子膨張弁１４５が遮断された場合は、室外側毛細管１３４を通過して減圧膨張し、室外側電子膨張弁１４５が開放された場合は、室外側毛細管１３４及び室外側電子膨張弁１４５を通過してそれぞれ減圧膨張する。次に、その膨張した冷媒は、室外熱交換器１２１を通過して蒸発し、四方弁１１５を経由してアキュムレータ１１４に流入する。アキュムレータ１１４内部の気体状態の冷媒は、圧縮機１１１に吸入されて圧縮及び吐出される過程を繰り返す。
【００４７】
一方、制御部１８１は、室内機１５０から運転終了信号が入力されると（Ｓ７０）、室内機１５０及び室外機１１０の駆動を中止する（Ｓ８０）。
【図面の簡単な説明】
【００４８】
【図１】本発明の第１実施形態による空気調和機の冷凍サイクル構成図である。
【図２】図１の空気調和機の制御ブロック図である。
【図３】本発明の第２実施形態による空気調和機の冷凍サイクル構成図である。
【図４】図３の空気調和機の制御ブロック図である。
【図５】図３の空気調和機の冷媒制御方法を説明するためのフローチャートである。
【図６】本発明の第３実施形態による空気調和機の冷凍サイクル構成図である。
【図７】図６の空気調和機の暖房運転時の作用を説明するための図である。
【図８】図６の空気調和機の制御ブロック図である。
【図９】図６の空気調和機の冷媒制御方法を説明するためのフローチャートである。
【図１０】従来の空気調和機の冷凍サイクル構成図である。
【符号の説明】
【００４９】
１１０    室外機
１１１    圧縮機
１１４    アキュムレータ
１１５    四方弁
１２１    室外熱交換器
１４４    第２開閉弁
１５０    室内機
１５１    室内熱交換器
１６０    室内膨張部
１６２    第１分岐流路
１６４    室内側毛細管
１７２    第２分岐流路
１７４    第１開閉弁
１７５    室内側電子膨張弁
１８１    制御部
１８３    運転モード選択部
【図１】
2007183091.tif 000003
【図２】
2007183091.tif 000004
【図３】
2007183091.tif 000005
【図４】
2007183091.tif 000006
【図５】
2007183091.tif 000007
【図６】
2007183091.tif 000008
【図７】
2007183091.tif 000009
【図８】
2007183091.tif 000010
【図９】
2007183091.tif 000011
【図１０】
2007183091.tif 000012